(57)【特許請求の範囲】
【請求項１】
輪転印刷機のための平版刷版において、
版本体と、
該本体に配置された複数の所定の裂断箇所とが設けられており、該裂断箇所が、印刷したい印像を有するサブプレートの縁部を規定しており、
版本体を一片として印刷機の版胴に取り付けることができ、印刷機が作動された後、個々の裂断個所において版本体を裂断することによって個々のサブプレートを取り外すことができることを特徴とする、輪転印刷機のための平版刷版。
【請求項２】
前記各サブプレートが、平版刷版によって印刷したい新聞ページに関連している、請求項１記載の刷版。
【請求項３】
前記所定の裂断箇所が、刷版の前縁から後縁にまで延びた線上に配置されている、請求項１記載の刷版。
【請求項４】
前記所定の裂断箇所が、連続的な溝を含んでいる、請求項１記載の刷版。
【請求項５】
前記所定の裂断箇所が、孔の連続を含んでいる、請求項１記載の刷版。
【請求項６】
前記孔が、打抜き穴である、請求項５記載の刷版。
【請求項７】
前記サブプレートが、糊によって互いに結合されており、所定の裂断箇所が、糊付け継目として形成されている、請求項１記載の刷版。
【請求項８】
前記サブプレートが、溶接スポットによって互いに結合されており、所定の裂断箇所が、溶接スポットの連続として形成されている、請求項１記載の刷版。
【請求項９】
平版刷版を製造し且つ使用する方法において、
版本体を提供し、
該版本体に所定の裂断箇所を提供するステップから成っており、該裂断箇所が、印刷したい印像を有するサブプレートの縁部を規定しており、
版本体を一片として版胴に取り付け、
サブプレートを取り外すために所定の裂断個所において版本体を裂断することを特徴とする、平版刷版を製造し且つ使用する方法。
【請求項１０】
各サブプレートが、新聞ページの印像を有している、請求項９記載の方法。
【請求項１１】
平版刷版を製造し且つ使用する方法において、
少なくとも２つのサブプレートを提供し、
一片として平版印刷機の版胴に取り付けられることができる、所定の裂断箇所を備えた単一の平版刷版を形成するために、少なくとも２つのサブプレートを結合し、
単一の平版刷版を版胴に取り付け、
少なくとも２つのサブプレートを取り外すために所定の裂断個所において単一の平版刷版を裂断する
ステップから成ることを特徴とする、平版刷版を製造し且つ使用する方法。
【請求項１２】
前記サブプレートを糊によって互いに結合する、請求項１１記載の方法。
【請求項１３】
前記サブプレートを溶接スポットによって互いに結合する、請求項１１記載の方法。
【発明の詳細な説明】
【０００１】
【発明の属する技術分野】
本発明は、輪転印刷機のための刷版に関する。特に、本発明は、新聞紙を印刷するためのウェブ輪転印刷機のための平版刷版に関する。
【０００２】
【従来の技術】
平版ウェブ輪転印刷機においては、走行する紙ウェブは、通常、複数の印刷ユニットを通じて供給され、これらの印刷ユニットは、ウェブに単一の又は多色の印像を提供する。商業的な雑誌又は新聞紙を印刷する場合には、印刷機の版胴に取り付けられた１つ又は２つ以上の刷版をしばしば交換することが望ましく、これにより、新聞紙の現在の版のフロントページに最新のニュースを印刷したり、同一の新聞紙の種々異なる版が種々異なる名称で種々異なる地方において分配される場合には、本番運転時に新聞紙のタイトルを変更したりする。
【０００３】
しかしながら、新たな本番運転の前に新聞印刷機を初期に設定するために、印刷オペレータは、印刷機の各版胴に複数の単一の刷版を取り付けなければならない。慣用の新聞印刷機の場合には、通常２つ、３つ、４つ又はそれよりも多いウェブが、個々の複数の印刷ユニットにおいて同時に印刷され、各印刷ユニットは、少なくとも２つの、通常は４つ又はそれよりも多い版胴を有しており、印刷オペレータは、極めて多数の、例えば１００にも達する単一の刷版を扱わなければ成らない。刷版は、正しい順序及び位置で印刷機の正しい版胴に取り付けられなければならないだけではなく、正しい向きでも（ヘッドが上又はヘッドが下）取り付けられなければならない。
【０００４】
しかしながら、通常新聞ページの印像のレイアウト、個々のフィルムへの各新聞ページの印像の転移、及びフィルムから刷版への印像の転移に関連するプレプレス分野においても、各刷版は独立して扱われ、これにより、例えば１００ページ以上を印刷するための大きな新聞印刷機の場合には、プレプレス部門において刷版を用意するための大きなプレプレス能力及び設備、さらに著しく長い時間が提供されなければならない。
【０００５】
その結果、新聞紙の最終レイアウトの利用可能性と、初期的な本番運転の開始との間の時間差が極めて長くなり、この時間差は、プレプレス能力と印刷機に刷版を取り付けるための印刷オペレータの数とを増大させることによってのみ短縮することができる。別の可能性は、個々の版胴に刷版を自動的に取り付けるための自動的な刷版システムを使用することである。しかしながら、自動刷版システムは高価であるだけでなく、大きな空間を必要とするという欠点がある。この大きな空間は、コンパクトな構成の印刷機においてはしばしば利用不可能である。
【０００６】
【発明が解決しようとする課題】
従来技術及び従来技術に関連した欠点を概説したように、本発明の課題は、プレプレス能力を減じることを助成しかつ新聞印刷機の版胴に刷版を取り付けるのに必要な時間を減じることをも助成する、輪転印刷機、特に新聞印刷機のための平版刷版を提供することである。
【０００７】
さらに、本発明の別の課題は、前記タイプの新聞印刷機のための平版刷版を製造する方法を提供することである。
【０００８】
【課題を解決するための手段】
本発明は、輪転印刷機のための平版刷版であって、版本体と、この版本体に配置された複数の所定の裂断箇所とが設けられており、この裂断箇所が、印刷したい印像を有するサブプレートの縁部を規定しているものを提供する。
【０００９】
また、本発明は、平版刷版を製造する方法において、
版本体を提供し、
この版本体に所定の裂断箇所を提供するステップから成っていて、この裂断箇所が、印刷したい印像を有するサブプレートの縁部を規定しているものをも提供する。
【００１０】
本発明はさらに、平版刷版を製造する方法であって、
少なくとも２つのサブプレートを提供し、平版印刷機の版胴に一片として取り付けることのできる、所定の裂断箇所を備えた単一の平版刷版を形成するために、サブプレートを互いに結合する
ステップから成る方法を提供する。
【００１１】
【発明の実施の形態】
本発明のその他の課題及び利点は、添付の図面を参照に以下の有利な実施例の詳細な説明を読むことにより当業者に明らかとなる。図面中同一の部材は同一の符合で示されている。
【００１２】
図１に示したように、平版輪転印刷機１は、複数の印刷ユニット４ａ，４ｂ，４ｃ，４ｄ及び４ｅを有しており、各印刷ユニットは、走行するウェブ２に単一又は多色印像を印刷するための１つ又は２つ以上の版胴６及びブランケット胴８を有している。図１には１つのウェブ２しか示されていないが、平版輪転印刷機は、図１に示されていない複数のウェブ２、例えば２つ、５つ又は８つのウェブ２を印刷するための別の印刷ユニットを有していてよい。
【００１３】
図２及び図３に示したように、各版胴６は、複数のサブプレート１０Ａ，１０Ｂ，１０Ｃ，１０Ｄから成る、本発明による平版刷版１０を有する。
【００１４】
図３に示したように、本発明による各平版刷版１０は、版本体１２を有しており、この版本体１２は、感光層でコーティングされてよい、例えば０．２〜０．５ｍｍの範囲の厚さの従来公知のアルミニウム板であってよい。後に、感光層は、大文字Ａ，Ｂ，Ｃ及びＤによって示された個々の新聞紙ページの印像に対応する印像が形成されてよい。
【００１５】
さらに図３に破線で示したように、本発明の各刷版１０は、１つ又は２つ以上の所定の裂断箇所１４ａ，１４ｂ，１４ｃを有しており、これらの裂断箇所は、版本体１２内に形成されておりかつサブプレート１０Ａ，１０Ｂ，１０Ｃ及び１０Ｄの縁部を規定している。各サブプレートは、平版新聞印刷機１を用いて印刷したい新聞ページの印像Ａ，Ｂ，Ｃ，Ｄを有している。
【００１６】
所定の裂断箇所１４ａ，１４ｂ，１４ｃは、例えば刷版１０の前縁１６ａから後縁１６ｂにまで延びていてよい。
【００１７】
さらに図３に点線で示したように、前縁１６ａと後縁１６ｂとは、曲げ部１８ａ，１８ｂを有していてよく、これらの曲げ部は、版胴に刷版を取り付けるための従来技術の刷版より公知である。曲げ部１８ａ，１８ｂは、例えば公知の刷版曲げ器を使用して、刷版１０に印像を形成した後にこの刷版１０に提供されると有利である。
【００１８】
さらに図４、図５及び図６から分かるように、所定の裂断箇所１４ａ，１４ｂ及び１４ｃが開口２０とブリッジ部２２との連続として形成されていても（図４）、切欠き（図５）又は溶接スポット２６の連続（図６）として形成されていても、切欠き２４，溶接スポット２６又は孔２０とブリッジ部２２との連続のあらゆる組合せであってもよい。開口若しくは孔２０は、刷版の端部１８ａ，１８ｂを曲げる場合又は刷版にレジスタ孔を穿孔する場合に、個々に修正された刷版曲げ器又は刷版穴開け器を用いて、刷版に印像を形成した後に刷版１０に提供されてよい。
【００１９】
同様に、開口２０又は切欠き又は少なくとも切欠き状の溝２４が、別の公知の手段、例えばレーザビーム、鋸又はボール盤を使用することによって刷版に提供されてもよい。
【００２０】
本発明の別の実施例によれば、所定の裂断箇所１４は、有利には刷版１０の前縁１６ａ又は後縁１６ｂにおいて端部１８ａ，１８ｂを曲げる前に、例えば公知の糊、接着剤又は充填材、例えばエポキシ樹脂又はアクリレートによって２つ又は３つ以上のサブプレート１０Ａ，１０Ｂ，１０Ｃ，１０Ｄを結合することによって得られてもよい。
【００２１】
同様に、図６の実施例の所定の裂断箇所１４の溶接スポット２６は、有利には、公知のスポット溶接機又は同様のものを使用することによって、サブプレート１４ａ〜１４ｄの端部１８ａ，１８ｂを曲げる前に、サブプレート１０Ａ，１０Ｂ，１０Ｃ及び１０Ｄに提供される。
【００２２】
所定の裂断箇所１４は、公知の刷版曲げ器又は刷版穴開け器に関連して前述したように、刷版１０に印像を形成した後に版本体１２に提供されると有利であるが、所定の裂断箇所１４は、刷版に印像を形成する前又は版本体１２に感光層を提供する前にさえ、既に版本体１２に設けられていることも可能である。
【００２３】
版全体に個々の印像Ａ，Ｂ，Ｃ及びＤを形成した後、版全体１０が、例えば図１に示したように公知の刷版ロックアップ機構３０を用いることによって一片として版胴６に取り付けられる。
【００２４】
本発明による全ての刷版１０が印刷機に取り付けられた後、初期の本番運転が開始され、初期の本番運転が完了するまで印刷機が運転され、例えば新聞の別の地方版のための別のタイトルページを用いた新たな別の運転が開始されてよい。
この場合、印刷オペレータは印刷機を停止させ、個々の裂断箇所１４ａ，１４ｂ，１４ｃにおいて刷版１０を裂断することによって個々のサブプレート１０Ａ，１０Ｂ，１０Ｃ又は１０Ｄを取外し、取り外したサブプレート１０Ａ，１０Ｂ，１０Ｃ及び１０Ｄを、新聞の別の版のための新たな印像を有する別のサブプレートと交換する。
【００２５】
本発明による刷版１０の所定の裂断箇所１４を裂断するためには、版胴上に残留させておく他のサブプレートのロックアップ機構を依然としてロックさせたまま印刷オペレータは例えば、個々のサブプレートのロックアップ機構を開放する。その後、印刷オペレータは一方の端部、例えば後端部１６ａを手で掴み版胴６を回転させることによって個々のサブプレートの所定の裂断箇所を手作業で裂断する。
【００２６】
択一例として、印刷オペレータは、所定の裂断箇所１４を裂断するために、サブプレート１０Ａ，１０Ｂ，１０Ｃ，１０Ｄを調整するための位置調整機構を使用してもよい。このことは、加えられる機械的な力によって所定の裂断箇所が裂断されるまで、交換したいサブプレートの位置が前後に移動させられるように、関連した位置調整機構を操作することによって達成されてよい。その後、図２の下側の版胴のために図示したように、サブプレートを取り外すことができる。
【００２７】
本発明による装置及び方法は平版新聞印刷機に関連して記載されているが、本発明は、平版新聞印刷機に制限されず、例えばフレキソ印刷機又は概して非オフセット印刷機又は枚葉輪転印刷機に適用することもできる。
【００２８】
さらに、所定の裂断箇所１４は、版胴の周面に２つ又は３つ以上のサブプレートが取り付けられている場合に、刷版が複数のサブプレート１０Ａ，１０Ｂ，１０Ｃ，１０Ｄに水平方向に裂断されるように配置されてもよい。
【００２９】
本発明の別の実施例によれば、ナイフ又は裁断ブレード等の機械的な裁断装置が、単一（一片）の刷版を複数のサブプレートに裂断するのを助成するために使用されてよい。
【００３０】
結果的に、スリーブ状の刷版が取り付けられた版胴を有する印刷機においては、それぞれが１つの新聞ページに相当する、個々のサブプレート又はサブスリーブの縁部を規定する所定の裂断箇所の組を備えた単一刷版スリーブを最初に提供することによって、同じ手順が用いられてよい。刷版スリーブは、例えば片持ちされた胴に刷版スリーブを軸線方向に移動させることによって、一片として版胴に取り付けられる。印刷機の初期の本番運転が終了した後、特定の新聞ページを別のページ、例えば別の地方版に交換するためにスリーブが前記と同じ形式で裂断されてよい。その後新たなサブプレートが、例えば公知の慣用の刷版ロックアップ機構を使用することによって取り付けられてよい。
【図面の簡単な説明】
【図１】鉛直方向に走行するウェブに印刷するためのＢＢ形印刷ユニットの塔配列を示す概略的な側面図である。
【図２】それぞれが４つのサブプレートを備えた２つの版胴を有する、図１の塔配列の印刷ユニットのうちの１つを示す概略的な横断面図であり、４つのサブプレートのうちの１つが、別の版のための別のプレートと交換されるために取り出されている。
【図３】本発明による平版刷版を示す概略図であり、この場合、サブプレートＡ，Ｂ，Ｃ及びＤの縁部を規定する所定の裂断箇所が破線で示されている。
【図４】本発明による刷版を示す図であり、所定の裂断箇所が、長手方向に延びた開口とブリッジ部分との連続として形成されている。
【図５】本発明による刷版の拡大図であり、所定の裂断箇所が切欠きとして形成されている。
【図６】本発明による刷版の別の実施例の拡大図であり、所定の裂断箇所が、溶接スポットの連続によって形成されている。
【図７】本発明による刷版のさらに別の実施例の拡大図であり、所定の裂断箇所が、サブプレートを結合するためにサブプレートの隣接する縁部に塗布された接着剤によって形成されている。
【符号の説明】
２  ウェブ、  ４ａ，４ｂ，４ｃ，４ｄ  印刷ユニット、  ６  版胴、  ８  ブランケット胴、  １０Ａ，１０Ｂ，１０Ｃ，１０Ｄ  サブプレート、  １２  版本体、  １４ａ，１４ｂ，１４ｃ  裂断箇所、  １６ａ  前縁、  １６ｂ  後縁、  １８ａ，１８ｂ  曲げ部、  ２０  開口若しくは孔、  ２２  ブリッジ部、  ２４  溝、  ２６  溶接スポット、  ３０  刷版ロックアップ機構
【図１】
0004559572.tif 000002
【図２】
0004559572.tif 000003
【図３】
0004559572.tif 000004
【図４】
0004559572.tif 000005
【図５】
0004559572.tif 000006
【図６】
0004559572.tif 000007
【図７】
0004559572.tif 000008